(57)【要約】【課題】  装置本体内へのアクセス性が向上し、かつ、ジャム処理時の開閉動作の操作性を高めることができる開閉機構、シート搬送装置、及び、画像形成装置を提供する。【解決手段】  装置本体１に対して移動可能に設けられた移動部材１０に装置本体の一部を覆うカバー部材９が支持され、移動部材の移動によって、カバー部材が装置本体の一部を覆う閉状態と該一部を開放させる開状態とに切り替える開閉機構において、装置本体に対してカバー部材を回動可能に支持する回動部材１１を移動部材とカバー部材との接合部に備え、カバー部材が開状態であるときに、カバー部材の一端が回動部材を中心に装置本体から離れる向きに回動可能である。【選択図】図２
2017111331.tif 000002
【特許請求の範囲】
【請求項１】
装置本体に対して移動可能に設けられた移動部材に前記装置本体の一部を覆うカバー部材が支持され、前記移動部材の移動によって、前記カバー部材が前記装置本体の一部を覆う閉状態と該一部を開放させる開状態とに切り替える開閉機構において、前記装置本体に対して前記カバー部材を回動可能に支持する回動部材を前記移動部材と前記カバー部材との接合部に備え、前記カバー部材が開状態であるときに、前記カバー部材の一端が前記回動部材を中心に前記装置本体から離れる向きに回動可能であることを特徴とする開閉機構。
【請求項２】
請求項１に記載の開閉機構において、前記移動部材が、前記装置本体に固定されたガイド部材と、該ガイド部材上を移動可能な可動部材とを備え、前記可動部材に前記回動部材を固定することを特徴とする開閉機構。
【請求項３】
請求項１又は２に記載の開閉機構において、前記回動部材がヒンジ部材であることを特徴とする開閉機構。
【請求項４】
請求項１乃至３いずれか一に記載の開閉機構において、前記カバー部材は前記装置本体側へ突き出したアーム部材を有し、前記アーム部材と前記回動部材とが接合することで前記アーム部材を介して前記移動部材に支持されていることを特徴とする開閉機構。
【請求項５】
請求項４に記載の開閉機構において、前記カバー部材が閉状態から前記装置本体に対して離れる向きへ所定量移動する間、前記アーム部材に対して下方から接触して前記アーム部材の略鉛直方向の位置を保持することで前記カバー部材の回動動作を規制する回動規制部材を備えることを特徴とする開閉機構。
【請求項６】
請求項５に記載の開閉機構において、前記回動規制部材がコロ部材であることを特徴とする開閉機構。
【請求項７】
装置本体に対して移動可能に設けられた移動部材に前記装置本体の一部を覆うカバー部材が支持され、前記移動部材の移動によって、前記カバー部材が前記装置本体の一部を覆う閉状態と該一部を開放させる開状態とに切り替える開閉機構において、
前記カバー部材を前記装置本体に対して回動可能に支持する回動部材を前記移動部材と前記カバー部材との接合部に備え、前記カバー部材が閉状態であるときに前記カバー部材の一端を前記回動部材を中心に前記装置本体から離れる向きに回動させ、前記カバー部材の一端を回動させた状態で前記移動部材によって前記カバー部材を前記装置本体から離れる向きに移動可能であること特徴とする開閉機構。
【請求項８】
画像形成部を通過した後のシートを反転させる反転路と、該反転路で反転されたシートを前記画像形成部へ再給紙する再給送路とを有し、前記画像形成部が収容される本体に対して開閉可能なシート搬送装置において、前記画像形成部が収容される本体に対して開閉可能とするための開閉手段として、請求項１乃至７いずれか一に記載の開閉機構を用いたことを特徴とするシート搬送装置。
【請求項９】
記録体に画像を形成する画像形成手段と、装置本体の一部を覆うカバー部材の開閉を行うカバー開閉手段とを有する画像形成装置において、前記カバー開閉手段として、請求項１乃至７のいずれか一に記載の開閉機構を用いたことを特徴とする画像形成装置。
【発明の詳細な説明】
【技術分野】
【０００１】
本発明は、開閉機構、シート搬送装置、及び、画像形成装置に関するものである。
【背景技術】
【０００２】
従来、画像形成装置本体に対して画像形成装置のカバーの一部を開閉可能にする開閉機構を備えた画像形成装置が知られている。この画像形成装置では、装置本体に対してカバーを開いて装置内部の用紙搬送経路の一部を露出させることで、紙詰まりの際に行う搬送経路内の用紙除去や、機内のメンテナンスを容易にすることができる。
【０００３】
この種の画像形成装置として、例えば特許文献１には、次のような画像形成装置が記載されている。この画像形成装置は、画像形成装置内の用紙搬送経路が装置略垂直方向に形成され、この搬送経路の装置本体側と装置本体側面側とが、開閉機構によって分離可能になっている。この開閉機構は、装置水平方向に平行移動可能な移動部材として２本のスライドレールを備えており、この２本のスライドレールのそれぞれ一端が装置側面側のカバーの内面に固定されて、他端が装置本体に移動可能に支持されている。この開閉機構により、用紙搬送経路の装置本体側から用紙搬送経路の装置本体側面側を、装置本体側面側のカバー部材ごと移動させることができる。
この画像形成装置は、用紙搬送経路で用紙のジャムが発生した際に、開閉機構によって用紙搬送経路の装置本体側面側を装置本体側から分離させることで、用紙主搬送経路を全域に渡って大きく開放することができ、ジャムした用紙の除去を容易にすることができるとしている。
【発明の概要】
【発明が解決しようとする課題】
【０００４】
しかしながら、特許文献１の画像形成装置は、用紙搬送経路の装置本体側面側を装置本体側から分離することでカバー部材によって覆われていた装置本体の一部を開放させるために、用紙搬送経路の装置本体側面側及びカバー部材を、装置本体に対して装置水平方向に平行移動させている。このため、ジャム処理時の用紙を取り除く際に手を入れる空間を十分に確保するためには、水平方向のスライド量を多くしなければならず、ジャム処理時の開閉動作の操作性が悪かった。
【課題を解決するための手段】
【０００５】
上述した課題を達成するために、本発明は、装置本体に対して移動可能に設けられた移動部材に前記装置本体の一部を覆うカバー部材が支持され、前記移動部材の移動によって、前記カバー部材が前記装置本体の一部を覆う閉状態と該一部を開放させる開状態とに切り替える開閉機構において、
前記装置本体に対して前記カバー部材を回動可能に支持する回動部材を前記移動部材と前記カバー部材との接合部に備え、前記カバー部材が開状態であるときに、前記カバー部材の一端が前記回動部材を中心に前記装置本体から離れる向きに回動可能であることを特徴とする。
【発明の効果】
【０００６】
本発明によれば、装置本体内へのアクセス性が向上し、かつ、ジャム処理時の開閉動作の操作性を高めることができる。
【図面の簡単な説明】
【０００７】
【図１】本実施形態に係る画像形成装置の一例を示す概略構成図。
【図２】同画像形成装置の備えるカバーの開閉機構の構成について説明する図。
【図３】同開閉機構の開動作について説明する図。
【図４】同開閉機構の開閉動作について説明する図。
【図５】（ａ）は、カバーを閉状態から開状態にする動作の初期の状態を示す図。（ｂ）は、開状態から閉状態にする動作の最中の状態を示す図。
【発明を実施するための形態】
【０００８】
以下、本発明に係る画像形成装置の一実施形態について、図面を参照して説明する。
図１は、本実施形態に係る画像形成装置の一例であるプリンタ１００を示す概略構成図である。
このプリンタ１００は、装置本体１のほぼ中央部に、画像形成部である作像ユニット４が設けられている。
作像ユニット４は、潜像担持体としての感光体４ａを備え、この感光体の周りに、帯電装置、現像装置、クリーニング装置等が配置されている。また、作像ユニット４の下方には、露光装置である光書込装置が設けられている。駆動手段によって回転駆動される感光体４ａの表面は、帯電装置によって所定の極性に一様に帯電され、さらに、光書込装置からのレーザ光が照射されることで静電潜像が形成される。そして、感光体４ａの表面に形成された潜像に、現像装置によってトナーが付与されることでトナー像が形成される。
【０００９】
一方、画像形成装置本体（以下、単に装置本体という）１の下部には、給紙部である給紙カセット２がセットされている。この給紙カセット２から給紙手段によって給送される転写紙等の画像記録シート（以下、「用紙」という。）は、感光体４ａの表面にトナー像が形成されるタイミングを取り、搬送ローラ対６等の搬送手段によって図中太線で示す片面用紙搬送経路７を作像ユニット４に向けて送出される。この片面用紙搬送経路７は、搬送ローラ対６を始点とし、後述の排紙ローラ対３１を終点として設けられている。
また、作像ユニット４の感光体４ａと対向する位置には、感光体４ａ表面のトナー像を用紙に転写する転写手段が設けられている。この転写手段によって、作像ユニット４に向かって搬送されてきた用紙に感光体４ａの表面のトナー像を転写する。このようにトナー像が転写された用紙は、用紙搬送方向下流に設けられている定着部である定着装置５に搬送され、この定着装置を通過するとき、熱と圧力によってトナー像が用紙に溶融定着される。そして、トナー像が定着された用紙は、装置本体１の上部に構成された排紙部３に排紙ローラ対３１によって排出される。
【００１０】
また、プリンタ１００には、両面印刷に対応するための用紙搬送装置である両面装置５０が装置本体１の側部に設けられている。この両面装置５０には、図中破線で示す反転した用紙を再給紙するための両面用紙搬送経路８が形成されている。この両面用紙搬送経路８は、排紙ローラ対３１を始点とし、搬送ローラ対６の手前で片面用紙搬送経路７に合流した地点を終点として設けられている。
用紙両面に印刷を行う場合は、排紙ローラ対３１によって用紙片面にトナー像が定着した用紙の先端側を排紙部３に排出した後、該用紙の後端が排紙ローラ対を通過する前に、排紙ローラ対３１を逆方向に回転させ、用紙を両面用紙搬送経路８へ送り込む。用紙は両面用紙搬送経路８内を搬送手段によって搬送され、搬送ローラ対６へと送られる。
このように、正逆回転可能な排紙ローラ対で切り替えされた用紙は、両面用紙搬送経路８を搬送されることで用紙の表裏が逆にされ、該用紙の裏面に感光体４ａからトナー像が転写される。そして、定着装置５によって裏面画像が定着され、表裏両面に画像を担持した状態で排紙部３に排出されることで、用紙の両面プリントが完成する。
【００１１】
次に、両面装置５０について詳述する。
両面装置５０は、装置本体１に対して右側側面のカバー（以下、単にカバーという）９が、両面装置５０の両面用紙搬送経路８及び片面用紙搬送経路７の一部とともに、後述する開閉機構２０によって装置本体１に対して開閉可能となっている。すなわち、開閉機構２０によってカバー９が装置本体１の一部を覆う閉状態と、該一部を開放させる開状態とに切り替えることが可能である。また、両面装置５０の両面用紙搬送経路８の装置本体１側の一部を形成する搬送ガイドは、両面装置５０に対して開閉可能となっている。
本実実施形態のプリンタ１００においては、片面用紙搬送経路７及び両面用紙搬送経路８でジャムが発生した際に、次のように各用紙搬送経路７、８に内に残った用紙を取り除くことができる。すなわち、カバー９を開状態にすることで、片面用紙搬送経路７を開放することができ、さらに、この状態で搬送ガイドを両面装置５０（カバー９）に対して開閉することによって、両面用紙搬送経路８を開放させることができる。これにより、各用紙搬送経路７、８に内に残った用紙をそれぞれ取り除くことができる。
【００１２】
次に、カバー９の開閉機構２０について説明する。
図２は、カバー９の開閉機構の構成について説明する図である。
図２に示すように、本実施形態における両面装置５０の開閉機構２０は、装置本体１に対して移動可能に設けられた移動部材１０と、カバー９を回動可能に支持する回動部材であるヒンジ部１１とを備えている。カバー９は、移動部材１０とヒンジ部１１とを介して装置本体１に支持されている。
移動部材１０は、装置本体１に固定されたガイド部材であるガイドレール１０ａと、このガイドレール１０ａ上を装置本体１に対して水平方向に移動可能な可動部材であるスライダ１０ｂとを備えている。
【００１３】
ヒンジ部１１は、スライダ１０ｂの装置本体外側端部に固定されたヒンジ部材であるヒンジ軸１２と、このヒンジ軸１２に接合するアーム１３とで構成される。このアーム１３は、一端がカバー９に固定されて、他端がカバー９に対して装置本体１側へ水平方向に突き出しており、カバー９から距離Ａだけ離れた位置でヒンジ軸１２に接合している。
また、開閉機構２０は、アーム１３の下方に後述する回動規制部材であるコロ１４を備えている。なお、このコロ１４については後ほど詳述する。
【００１４】
次に、同開閉機構２０によるカバー９の開閉動作について説明する。
図３は、同開閉機構の開動作について説明する図である。
図３に示すように、本実施形態の開閉機構２０においては、移動部材１０によってカバー９を装置本体１から引き出した状態（開状態）であるときに、ヒンジ部１１を中心にカバー９の一端が装置本体１から離れる向きに回動可能である。
カバー９を閉状態から開状態にするには、まず、図中矢印ａで示す向きにカバー９を引き出す。このときカバー９は、スライダ１０ｂがガイドレール１０ａに沿って移動することで、装置本体１から分離する。そして、カバー９を所定量だけ装置本体から引き出した後、ヒンジ軸１２を中心に図中矢印ｂに示す向きにカバー９を回動させることで、開動作が完了する。
【００１５】
従来のヒンジを中心にカバーを開閉させる開閉機構では、画像形成装置が大型のものになるにつれて大型のカバーになるため、操作のしやすさから開く量に限界があり、ヒンジ軸側の手を入れるスペースが小さくなっていた。
本実施形態の開閉機構２０においては、カバー９を装置本体１に対して離れる向き（外向き）にスライドさせて開状態にした後に、カバー９の一端を装置本体から離れる向きに回動させることができる。これにより、従来の回転動作のみでカバーを開状態にする開閉機構と比べて、カバー９が図中矢印ａの向きにスライドした分だけカバー９と装置本体１との間の空間を広くすることができるので、アクセス性が改善される。
また、本実施形態の開閉機構２０おいては、カバー部材がスライド移動に加えて回動移動するので、スライド移動のみでカバー部材を開状態にする開閉機構と比べて、水平方向の移動量を減らすことができ、操作性を向上することができる。また、水平方向の移動量を減らすことができるので、装置内部における開閉機構に係る移動部材の占有空間を小さくすることができ、マシンサイズを大きくすることなく省スペースで開閉機構を設けることができる。
【００１６】
さらに、従来のスライド移動のみでカバー部材を開状態にする開閉機構では、上側から見たときの視野を確保し辛いという問題があった。一方、本実施形態の開閉機構２０によれば、カバー９が回動可能することで傾斜可能であるので、フロア設置する装置の場合では、立っている状態からカバーを開いて見下ろすことができ、視認性が良好である。
【００１７】
また、本実施形態の開閉機構２０では、スライダ１０ｂの一端に備えられたヒンジ軸１２が、カバー９から装置本体１側に突き出したアーム１３に接合している。このため、カバー９を装置本体１から引き出しながら、カバー９を装置本体１から離れる向きに回動させることが可能となる。これにより、カバー９の水平方向の移動動作と回動動作とを同時に行うことができるので、操作性を高くすることができる。
【００１８】
さらに、開閉機構２０の開閉動作について詳述する。
図４は、開閉機構２０の開閉動作について説明する図である。
図５は、両面カバー開閉機構の動作について詳しく説明する図である。図５（ａ）は、カバーを閉状態から開状態にする動作の初期の状態を示し、図５（ｂ）は、開状態から閉状態にする動作の最中の状態を示す。
図４に示すように、本実施系形態の開閉機構２０では、アーム１３の下方にコロ１４を備えている。このコロ１４は、カバー９が閉状態から装置本体１に対して離れる向きへ所定量移動する間、アーム１３に対して下方から接触することでアーム１３の略鉛直方向の位置を保持している。これにより、次のようにカバー９の回動動作を規制している。
【００１９】
例えば、カバー９を閉状態から開状態にする際には、図中矢印ａで示す向きにカバー９を引き出している間は、図５（ａ）に示すように、コロ１４がアーム１３の下面と接触することによって、アーム１３の鉛直方向の位置が保持されている。そして、カバー９が装置本体１側から所定量だけ引き出されると、図４に示すように、アーム１３の一端に接合されたヒンジ軸１２がコロ１４よりも外側に移動し、自重によってアーム１３及びカバー９が図中矢印ｂに示す向きに回動する。これにより、カバー９を装置本体１より所定量移動させるまで、すなわち、カバー９の引き出し動作が完了するまで、コロ１４によってアーム１３を介してカバー９を回転させないようにすることができる。このため、カバー９を装置本体１より所定量移動させた後にカバー９の回動動作を開始するようにすることができる。
【００２０】
また、カバー９を開状態から閉状態にする際には、図中矢印ｄに示す向きにカバー９が押し込まれる動作に伴い、カバー９の回動によって傾斜したアーム１３の下面におけるコロ１４との接触位置が移動する。これにより、アーム１３の鉛直方向の位置がコロ１４によって押し上げられることで、アーム１３とともにカバー９が図中矢印ｃの向きに回動し、傾斜したカバー９を装置本体に対して略垂直となるような位置まで持ち上げることができる。したがって、回動動作によって傾いたカバー９を、装置本体に対して略垂直にした状態で装置本体側に戻すことができる。
【００２１】
本実施形態の開閉機構２０では、上述のように、カバーの開閉動作時に順序性が生じ、開閉の軌跡を一意に決めることが可能となる。このため、定着の脱圧機構などのカバー開閉時に連動する機構がある場合に問題なく動作させることが可能となる。
【００２２】
また、図５（ｂ）に示すように、本実施形態の開閉機構２０においては、コロ１４によってアーム１３の鉛直方向の位置が規制された状態においては、アーム１３の装置側先端部１３ａがスライダ１０ｂの上面と突き当たる形状となっている。これにより、カバー９を装置本体１に対して垂直以上に回転しないようにヒンジ軸１２の回転を規制することができるので、カバー開閉時に連動する機構がある場合にも、より確実に動作させることが可能となる。
【００２３】
なお、上述した説明では、カバー部材が開状態であるときに、回動部材を中心に装置本体から離れる向きにカバー部材の一端を回動可能とした構成について説明したが、これに限らず、次のような構成としてもよい。すなわち、カバー部材が閉状態であるときにカバー部材の一端を回動部材を中心に装置本体から離れる向きに回動させ、このカバー部材の一端を回動させた状態で移動部材によってカバー部材を装置本体から離れる向きに移動可能にしてもよい。
【００２４】
また、上述した説明では、本発明を、プリンタ１００の両面装置５０の側面に位置するカバー９を開閉させる開閉機構に適用した例を説明したが、本発明が適用できる構成についてはこれに限らない。例えば、両面用紙搬送経路を備えず、片面用紙搬送経路のみを備える画像形成装置において、この片面用紙搬送経路の一部を露出させるためにカバーを開閉させる開閉機構にも適用することができる。
【００２５】
以上に説明したものは一例であり、次の態様毎に特有の効果を奏する。
（態様Ａ）
装置本体１等の装置本体に対して移動可能に設けられたガイドレール１０ａ，スライダ１０ｂ等の移動部材に前記装置本体の一部を覆うカバー９等のカバー部材が支持され、前記移動部材の移動によって、前記カバー部材が前記装置本体の一部を覆う閉状態と該一部を開放させる開状態とに切り替える開閉機構２０等の開閉機構において、前記装置本体に対して前記カバー部材を回動可能に支持するヒンジ部１１等の回動部材を前記移動部材と前記カバー部材との接合部に備え、前記カバー部材が開状態であるときに、前記カバー部材の一端が前記回動部材を中心に前記装置本体から離れる向きに回動可能であることを特徴とする。
【００２６】
本態様においては、上記実施形態について説明したように、カバー部材を装置本体に対して外向きにスライドさせて開状態にした後に、カバー部材の一端が装置本体から離れる向きに回動可能である。これにより、カバー部材を回転動作のみで開状態にする開閉機構と比べて、カバー部材がスライドした分だけカバーと装置本体との間の空間を広くすることができ、アクセス性が改善される。また、カバー部材がスライド移動に加えて回動移動するので、カバー部材がスライド移動のみで開状態にする開閉機構と比べて、水平方向の移動量を減らすことができ、操作性を向上することができる。
【００２７】
（態様Ｂ）
態様Ａの開閉機構において、前記移動部材が、前記装置本体に固定されたガイドレール１０ａ等のガイド部材と、該ガイド部材上を移動可能なスライダ１０ｂ等の可動部材とを備え、前記可動部材にヒンジ部１１等の前記回動部材を固定する。
【００２８】
（態様Ｃ）
態様Ａ又はＢの開閉機構において、前記回動部材がヒンジ軸１２等のヒンジ部材である。
【００２９】
（態様Ｄ）
態様Ａ〜Ｃいずれか一の開閉機構において、カバー９等の前記カバー部材は、装置本体１等の前記装置本体側へ突き出したアーム１３等のアーム部材を有し、前記アーム部材とヒンジ軸１２等の前記回動部材とが接合することで前記アーム部材を介してガイドレール１０ａ，スライダ１０ｂ等の前記移動部材に支持されていることを特徴とする。
本態様においては、上記実施形態について説明したように、スライダ１０ｂの一端に備えられたヒンジ軸１２が、カバー９から装置本体１側に突き出したアーム１３に接合している。このため、カバー９を装置本体１から引き出しながら、カバー９を装置本体１から離れる向きに回動させることが可能となる。これにより、カバー９の水平方向の移動動作と回動動作とを同時に行うことができるので、操作性を高くすることができる。
【００３０】
（態様Ｅ）
態様Ｄの開閉機構において、カバー９等の前記カバー部材が閉状態から装置本体１等の前記装置本体に対して離れる向きへ所定量移動する間、アーム１３等の前記アーム部材に対して下方から接触して前記アーム部材の略鉛直方向の位置を保持することで前記カバー部材の回動動作を規制するコロ１４等の回動規制部材を備えることを特徴とする。
【００３１】
本態様においては、上記実施形態について説明したように、カバー９が閉状態から装置本体１より離れる向きへ所定量移動する間、カバー９の回転動作をコロ１４によって規制することが可能となる。これにより、カバー９を閉状態から開状態にする際には、カバー９を装置本体１より所定量移動させた後にカバー９の回動動作を開始するようにすることができる。また、カバー９を開状態から閉状態にする際には、カバー９が押し込まれる動作に伴って、カバー９の回動によって傾斜したアーム１３の下面におけるコロ１４との接触位置が移動することで、アーム１３の鉛直方向の位置がコロ１４によって押し上げられる。これにより、アーム１３とともにカバー９を図中矢印ｃの向きに回動させることが可能となるので、回動動作によって傾いたカバー９を略垂直にした状態で装置本体側に戻すことができる。
したがって、本態様においては、カバーの開閉動作時に順序性が生じ、開閉の軌跡を一意に決めることが可能となる。このため、定着の脱圧機構などのカバー開閉時に連動する機構がある場合に問題なく動作させることが可能となる。
【００３２】
（態様Ｆ）
態様Ｅの開閉機構において、前記回動規制部材がコロ１４等のコロ部材であることを特徴とする。
これにより、カバー９の引き出し動作をスムーズにすることができるので、カバー部材のサイズが大きいものであった場合にも、よりスムーズに開閉動作を行うことができる。
【００３３】
（態様Ｇ）
装置本体１等の装置本体に対して移動可能に設けられたガイドレール１０ａ，スライダ１０ｂ等の移動部材に前記装置本体の一部を覆うカバー９等のカバー部材が支持され、前記移動部材の移動によって、前記カバー部材が前記装置本体の一部を覆う閉状態と該一部を開放させる開状態とに切り替える開閉機構２０等の開閉機構において、前記装置本体に対して前記カバー部材を回動可能に支持する回動部材を前記移動部材と前記カバー部材との接合部に備え、前記カバー部材が閉状態であるときに前記カバー部材の一端を前記回動部材を中心に前記装置本体から離れる向きに回動させ、前記カバー部材の一端を回動させた状態で前記移動部材によって前記カバー部材を前記装置本体から離れる向きに移動可能であること特徴とする。
【００３４】
本態様においては、上記実施形態について説明したように、カバー部材の一端を装置本体から離れる向きに回動させた後に、装置本体に対して外向きにスライドさせることが可能である。これにより、カバー部材を回転動作のみで開状態にする開閉機構と比べて、カバー部材がスライドした分だけカバーと装置本体との間の空間を広くすることができ、アクセス性が改善される。また、カバー部材がスライド移動に加えて回動移動するので、カバー部材がスライド移動のみで開状態にする開閉機構と比べて、水平方向の移動量を減らすことができ、操作性を向上することができる。
【００３５】
（態様Ｈ）
作像ユニット４等の画像形成部を通過した後のシートを反転させる反転路と、該反転路で反転されたシートを前記画像形成部へ再給紙する両面用紙搬送経路８等の再給送路とを有し、前記画像形成部が収容される装置本体１等の本体に対して開閉可能な両面装置５０等のシート搬送装置において、前記画像形成部が収容される本体に対して開閉可能とするための開閉手段として、態様Ａ〜Ｆのいずれかの開閉機構を用いたことを特徴とする。
これによれば、上記実施形態について説明したように、装置本体内へのアクセス性が向上し、かつ、ジャム処理時の開閉動作の操作性を高めることができる。
【００３６】
（態様Ｉ）
記録体に画像を形成する作像ユニット４等の画像形成手段と、装置本体１等の装置本体の一部を覆うカバー９等のカバー部材の開閉を行う開閉手段とを有するプリンタ１００等の画像形成装置において、前記開閉手段として、態様Ａ〜Ｆのいずれかの開閉機構を用いたことを特徴とする。
これによれば、上記実施形態について説明したように、装置内部における開閉機構に係る移動部材の占有空間を小さくすることができるので、マシンサイズを大きくすることなく、省スペースで装置本体内へのアクセス性が向上し、かつ、ジャム処理時の開閉動作の操作性を高めることができる。
【符号の説明】
【００３７】
１ 装置本体
２ 給紙カセット
３ 排紙部
４ 作像ユニット
４ａ 感光体
５ 定着装置
７ 片面用紙搬送経路
８ 両面用紙搬送経路
９ カバー
１０ 移動部材
１０ａ ガイドレール
１０ｂ スライダ
１１ ヒンジ部
１２ ヒンジ軸
１３ アーム
１４ コロ
２０ 開閉機構
５０ 両面装置
１００ プリンタ
【先行技術文献】
【特許文献】
【００３８】
【特許文献１】特許第３７３４４２６号公報
【図１】
2017111331.tif 000003
【図２】
2017111331.tif 000004
【図３】
2017111331.tif 000005
【図４】
2017111331.tif 000006
【図５】
2017111331.tif 000007